(57)【要約】【課題】動画ファイルから取得した複数のフレームについて適用される画像補正の適正化を図ること。【解決手段】動画ファイルから補正対象となる複数の対象フレームを決定するステップと、前記動画ファイルに基づいて前記複数の対象フレームの補正に共通に使用される共通補正量を求めるステップと、前記共通補正量に基づいて、前記複数の対象フレームのそれぞれについて画像補正を行うステップと、を含む画像補正方法を提供する。【選択図】図６
2008022482.tif 000002
【特許請求の範囲】
【請求項１】
動画ファイルから補正対象となる複数の対象フレームを決定するステップと、
前記動画ファイルに基づいて前記複数の対象フレームの補正に共通に使用される共通補正量を求めるステップと、
前記共通補正量に基づいて、前記複数の対象フレームのそれぞれについて画像補正を行うステップと、
を含む画像補正方法。
【請求項２】
前記対象フレームを決定するステップと、前記共通補正量を求めるステップとが並行して行われる、請求項１に記載の画像補正方法。
【請求項３】
前記動画ファイルが複数の動画ファイルから選択されるステップをさらに含み、該動画ファイルが選択されてから、前記対象フレームを決定するステップと、前記共通補正量を求めるステップとが並行して行われる、請求項２に記載の画像補正方法。
【請求項４】
前記共通補正量を求めるステップは、前記動画ファイルから前記共通補正量を求めるためのフレームを選択するステップを含む、請求項１〜３のいずれかに記載の画像補正方法。
【請求項５】
前記共通補正量を求めるステップは、前記動画ファイルの中央のフレームに基づいて前記共通補正量を求めるステップを含む、請求項１〜４のいずれかに記載の画像補正方法。
【請求項６】
前記共通補正量を求めるステップは、前記動画ファイルからランダムに選択されたフレームに基づいて前記共通補正量を求めるステップを含む、請求項１〜４のいずれかに記載の画像補正方法。
【請求項７】
前記共通補正量を求めるステップは、前記動画ファイルに含まれる音声データに基づいて前記共通補正量を求めるステップを含む、請求項１〜４のいずれかに記載の画像補正方法。
【請求項８】
前記共通補正量を求めるステップは、前記共通補正量として、前記動画ファイルから選択された複数のフレームの補正量をそれぞれ求め、該複数のフレームの補正量の平均を求めるステップを含む、請求項１〜７のいずれかに記載の画像補正方法。
【請求項９】
前記共通補正量を求めるために前記動画ファイルから選択されるフレームの数は、前記複数の対象フレームの数よりも多い、請求項８に記載の画像補正方法。
【請求項１０】
前記共通補正量を求めるステップは、前記動画ファイルに含まれる該動画ファイルの映像の特徴を示す情報に基づいて前記共通補正量を求めるステップを含む、請求項１〜３のいずれかに記載の画像補正方法。
【請求項１１】
前記複数の対象フレームを決定するステップは、前記動画ファイルから最初の対象フレームと最後の対象フレームとを決定し、前記最初の対象フレームと前記最後の対象フレームとの間に、互いに前後する対象フレーム同士の時間間隔を揃えて中間の対象フレームを決定するステップを含む、請求項１〜９のいずれかに記載の画像補正方法。
【請求項１２】
動画ファイルから補正対象となる複数の対象フレームを決定するステップと、
前記動画ファイルに基づいて前記複数の対象フレームの補正に共通に使用される共通補正量を求めるステップと、
前記共通補正量に基づいて、前記複数の対象フレームのそれぞれについて画像補正を行うステップと、を含み、
前記対象フレームを決定するステップと、前記共通補正量を求めるステップとが並行して行われ、
前記動画ファイルが複数の動画ファイルから選択されるステップをさらに含み、該動画ファイルが選択されてから、前記対象フレームを決定するステップと、前記共通補正量を求めるステップとが並行して行われ、
前記共通補正量を求めるステップは、前記動画ファイルに含まれる該動画ファイルの映像の特徴を示す情報に基づいて前記共通補正量を求めるステップを含み、
前記複数の対象フレームを決定するステップは、前記動画ファイルから最初の対象フレームと最後の対象フレームとを決定し、前記最初の対象フレームと前記最後の対象フレームとの間に、互いに前後する対象フレーム同士の時間間隔を揃えて中間の対象フレームを決定するステップを含む、画像補正方法
【請求項１３】
動画ファイルから補正対象となる複数の対象フレームを決定する決定部と、
前記動画ファイルに基づいて前記複数の対象フレームの補正に共通に使用される共通補正量を求める補正量算出部と、
前記共通補正量に基づいて、前記複数の対象フレームのそれぞれについて画像補正を行う画像補正部と、
を備える画像補正装置。
【請求項１４】
動画ファイルから補正対象となる複数の対象フレームを決定する決定部と、
前記動画ファイルに基づいて前記複数の対象フレームの補正に共通に使用される共通補正量を求める補正量算出部と、
前記共通補正量に基づいて、前記複数の対象フレームのそれぞれについて画像補正を行う画像補正部と、
前記画像補正された対象フレームを印刷する印刷部と、
を備える印刷装置。
【請求項１５】
画像補正装置を動作させるためのプログラムであって、
動画ファイルから補正対象となる複数の対象フレームを決定するステップと、
前記動画ファイルに基づいて前記複数の対象フレームの補正に共通に使用される共通補正量を求めるステップと、
前記共通補正量に基づいて、前記複数の対象フレームのそれぞれについて画像補正を行うステップと、
を前記画像補正装置に行わせるプログラム。
【発明の詳細な説明】
【技術分野】
【０００１】
本発明は、画像補正方法、画像補正装置、印刷装置、及び、プログラムに関する。
【背景技術】
【０００２】
１つの動画ファイルから所定数の連続したフレームを取得し、印刷する装置がある。この装置において、動画ファイルから取得したフレームは静止画として扱われる。この静止画は、望ましい明るさや色彩等になるように画像補正が行われることがある。
【特許文献１】特開２００４−１２０６３８号公報
【特許文献２】特開２００６−６０６４９号公報
【発明の開示】
【発明が解決しようとする課題】
【０００３】
画像の補正時には、各画像の特徴に応じた補正が行われる。たとえば、人物が撮影された画像については肌色が美しく表現されるような補正が行われる。また、風景が撮影された画像については空の青さ等が強調されるような補正が行われる。  
このように画像補正では画像の特徴に応じた補正が行われるのであるが、ときには画像認識のエラーから適正な補正が行われないときがある。このようなことが、動画ファイルから取得した連続したフレームに適用されると、適正な画像認識が行われなかったフレームに対して他のフレームとは異なる補正が行われる。そうすると、連続するフレームのうち適正な画像認識が行われなかったフレームだけが色調の異なる違和感のある画像となる。
【０００４】
本発明は、このような事情に鑑みてなされたものであり、動画ファイルから取得した複数のフレームについて適用される画像補正の適正化を図ることを目的とする。
【課題を解決するための手段】
【０００５】
上記目的を達成するための主たる発明は、
動画ファイルから補正対象となる複数の対象フレームを決定するステップと、
前記動画ファイルに基づいて前記複数の対象フレームの補正に共通に使用される共通補正量を求めるステップと、
前記共通補正量に基づいて、前記複数の対象フレームのそれぞれについて画像補正を行うステップと、
を含む画像補正方法である。
【０００６】
本発明の他の特徴については、本明細書及び添付図面の記載により明らかにする。
【発明を実施するための最良の形態】
【０００７】
本明細書及び添付図面の記載により、少なくとも、以下の事項が明らかとなる。
【０００８】
動画ファイルから補正対象となる複数の対象フレームを決定するステップと、
前記動画ファイルに基づいて前記複数の対象フレームの補正に共通に使用される共通補正量を求めるステップと、
前記共通補正量に基づいて、前記複数の対象フレームのそれぞれについて画像補正を行うステップと、
を含む画像補正方法。  
このようにすることで、動画ファイルから取得した複数のフレームについて適用される画像補正の適正化を図ることができる。
【０００９】
かかる画像補正方法であって、前記対象フレームを決定するステップと、前記共通補正量を求めるステップとが並行して行われることが望ましい。また、前記動画ファイルが複数の動画ファイルから選択されるステップをさらに含み、該動画ファイルが選択されてから、前記対象フレームを決定するステップと、前記共通補正量を求めるステップとが並行して行われることが望ましい。また、前記共通補正量を求めるステップは、前記動画ファイルから前記共通補正量を求めるためのフレームを選択するステップを含むことが望ましい。また、前記共通補正量を求めるステップは、前記動画ファイルの中央のフレームに基づいて前記共通補正量を求めるステップを含むこととしてもよい。また、前記共通補正量を求めるステップは、前記動画ファイルからランダムに選択されたフレームに基づいて前記共通補正量を求めるステップを含むこととしてもよい。また、前記共通補正量を求めるステップは、前記動画ファイルに含まれる音声データに基づいて前記共通補正量を求めるステップを含むこととしてもよい。また、前記共通補正量を求めるステップは、前記共通補正量として、前記動画ファイルから選択された複数のフレームの補正量をそれぞれ求め、該複数のフレームの補正量の平均を求めるステップを含むことが望ましい。また、前記共通補正量を求めるために前記動画ファイルから選択されるフレームの数は、前記複数の対象フレームの数よりも多いことが望ましい。また、前記共通補正量を求めるステップは、前記動画ファイルに含まれる該動画ファイルの映像の特徴を示す情報に基づいて前記共通補正量を求めるステップを含むこともできる。また、前記複数の対象フレームを決定するステップは、前記動画ファイルから最初の対象フレームと最後の対象フレームとを決定し、前記最初の対象フレームと前記最後の対象フレームとの間に、互いに前後する対象フレーム同士の時間間隔を揃えて中間の対象フレームを決定するステップを含むことが望ましい。  
これにより、動画ファイルから取得した複数のフレームについて適用される画像補正の適正化を図ることができる。
【００１０】
動画ファイルから補正対象となる複数の対象フレームを決定する決定部と、
前記動画ファイルに基づいて前記複数の対象フレームの補正に共通に使用される共通補正量を求める補正量算出部と、
前記共通補正量に基づいて、前記複数の対象フレームのそれぞれについて画像補正を行う画像補正部と、
を備える画像補正装置。  
このようにすることで、動画ファイルから取得した複数のフレームについて適用される画像補正の適正化を図ることができる。
【００１１】
動画ファイルから補正対象となる複数の対象フレームを決定する決定部と、
前記動画ファイルに基づいて前記複数の対象フレームの補正に共通に使用される共通補正量を求める補正量算出部と、
前記共通補正量に基づいて、前記複数の対象フレームのそれぞれについて画像補正を行う画像補正部と、
前記画像補正された対象フレームを印刷する印刷部と、
を備える印刷装置。  
このようにすることで、動画ファイルから取得した複数のフレームについて適用される画像補正の適正化を図り、印刷を行うことができる。
【００１２】
画像補正装置を動作させるためのプログラムであって、
動画ファイルから補正対象となる複数の対象フレームを決定するステップと、
前記動画ファイルに基づいて前記複数の対象フレームの補正に共通に使用される共通補正量を求めるステップと、
前記共通補正量に基づいて、前記複数の対象フレームのそれぞれについて画像補正を行うステップと、
を前記画像補正装置に行わせるプログラム。  
このようにすることで、動画ファイルから取得した複数のフレームについて適用される画像補正の適正化を図ることができる。
【００１３】
＝＝＝第１実施形態＝＝＝
＜画像補正装置について＞
画像補正装置は、種々の態様で実現することができる。例えば、コンピュータに画像補正用のプログラムを実行させることで、このコンピュータを画像補正装置として用いることができる。デジタルカメラや印刷装置はコントローラを有している。そして、このコントローラに画像補正用のプログラムを実行させることで、デジタルカメラや印刷装置を画像補正装置として用いることができる。そこで、本明細書では、プリンタ・スキャナ複合機（以下、単に複合機ともいう。）を例に挙げて説明することにする。この複合機は、画像を媒体に印刷する印刷機能と、媒体に印刷された画像を読み取る読み取り機能とを有する装置である。
【００１４】
＝＝＝複合機１の構成について＝＝＝
図１Ａは、複合機１の外観を説明するための斜視図である。図１Ｂは、操作パネル４０を説明するための図である。図２は、複合機１の構成を説明するブロック図である。図３は、印刷機構２０を説明するための図である。
【００１５】
複合機１は、画像読み取り機構１０、印刷機構２０、駆動信号生成部３０、操作パネル４０、カードスロット５０、及び、コントローラ６０を有する。この複合機１では、コントローラ６０によって、制御対象部、すなわち、画像読み取り機構１０、印刷機構２０、及び、駆動信号生成部３０が制御される。
【００１６】
画像読みとり機構１０は、原稿台１１上の原稿を読み取り、原稿の画像濃度に応じた電気信号を出力するための装置である。印刷機構２０は、媒体としての用紙Ｓへ画像を印刷するための機構である。印刷機構２０は、ガイドレール２２３上をキャリッジＣＲが移動方向に移動しながらヘッドユニットＨＵからインク滴を吐出することで用紙Ｓに印刷を行う。
【００１７】
駆動信号生成部３０は、ヘッドからインクを吐出させる際に用いられる駆動信号ＣＯＭを生成する部分である。この駆動信号生成部３０は、コントローラ６０（ＣＰＵ６２）からの制御信号に基づき、様々な波形の駆動信号ＣＯＭを生成する。
【００１８】
＜操作パネル４０について＞
操作パネル４０は、複合機１におけるユーザインタフェースを構成する。操作パネル４０には、電源ボタン４１、表示部４２、及び、入力部４３が配置されている。電源ボタン４１は複合機１の電源をオンオフする際に操作されるボタンである。表示部４２は、例えば液晶表示パネルによって構成される。この表示部４２には、例えばメニュー画面や印刷対象となる画像（動画ファイルのフレーム）が表示される。入力部４３は、各種のボタンによって構成されている。この例において入力部４３は、４方向ボタン４３１、ＯＫボタン４３２、印刷設定ボタン４３３、戻るボタン４３４、表示切替ボタン４３５、モード切替ボタン４３６、印刷枚数増減ボタン４３７、スタートボタン４３８、及び、ストップボタン４３９によって構成されている。４方向ボタン４３１は、項目を移動させる際等に操作される。ＯＫボタン４３２は、選択項目を確定させる際等に操作される。印刷設定ボタン４３３は、印刷の設定時に操作される。戻るボタン４３４は、表示を前の状態に戻す場合等に操作される。表示切替ボタン４３５は、表示態様を切り替える際等に操作される。例えば、画像のサムネイル表示と拡大表示とを切り替える際等に操作される。モード切替ボタン４３６は、複合機１の動作モードを切り替える際等に操作される。印刷枚数増減ボタン４３７は、印刷枚数を調整する際等に操作される。スタートボタン４３８は、動作を開始させる際等に操作される。例えば、印刷を開始させる際に操作される。ストップボタン４３９は、何らかの動作を中止させる際等に操作される。例えば、印刷を中止させる際に操作される。これらのボタンは、操作に応じた信号を出力するスイッチ（図示せず。）を有する。このスイッチはコントローラ６０と電気的に接続されている。従って、コントローラ６０は、スイッチからの信号に基づいて各ボタンに対する操作を認識し、認識した操作に対応した動作をする。
【００１９】
＜カードスロット５０について＞
カードスロット５０は、メモリカードＭＣと電気的な接続を行う部分である。このため、カードスロット５０には、メモリカードＭＣと電気的に接続するためのインタフェース回路が設けられている。カードスロット５０に対して着脱されるメモリカードＭＣには、印刷対象となるデータが記憶される。例えば、デジタルカメラによって撮影された動画ファイルや静止画ファイルが記憶される。
【００２０】
＜コントローラ６０について＞
コントローラ６０は、インタフェース部６１と、ＣＰＵ６２と、メモリ６３と、制御ユニット６４とを有する。インタフェース部６１は、外部装置であるコンピュータ（図示せず）との間でデータの受け渡しを行う。また、ケーブルを通じて接続されたデジタルカメラとの間でもデータの受け渡しを行うことができる。ＣＰＵ６２は、複合機１の全体的な制御を行うための演算処理装置である。メモリ６３は、コンピュータプログラムを格納する領域や作業領域等を確保するためのものであり、ＲＡＭ、ＥＥＰＲＯＭ、ＲＯＭ等の記憶素子によって構成される。ＣＰＵ６２は、メモリ６３に記憶されているコンピュータプログラムに従い、各制御対象部を制御する。例えば、制御ユニット６４を通じて画像読み取り機構１０、印刷機構２０、及び、操作パネル４０（表示部４２）を制御する。
【００２１】
＝＝＝複合機１の動作について＝＝＝
＜動作の概略について＞
複合機１は、画像読み取り機構１０で読み取った画像の電子データをホストコンピュータ（図示せず）へ送信することができる。また、複合機１は、画像読み取り機構１０で読み取った画像を用紙Ｓへ印刷することや、メモリカードＭＣに記憶された静止画ファイルや動画ファイルを用紙Ｓへ印刷することもできる。このような印刷時には、画像の明るさや色調の補正が行われる。また、動画ファイルを印刷する場合、動画ファイルを構成する複数のフレームのうち１つのフレームを印刷する「１フレーム印刷」と、動画ファイルを構成する一部の複数フレームを印刷する「複数フレーム印刷」とが選択できる。
【００２２】
ところで、複数フレーム印刷では、フレーム間で似通った画像となることが多い。例えば、ゴルフスイングの連続画像を印刷したいときなど、人物が中心となり背景はほとんど変化しないような連続画像となっている。
【００２３】
このような連続画像の画像補正の参考例は次のようになる。まず、各フレームについてどのような種別のフレームであるかが判定される。ここでフレームの種別とは「人物、「風景」、「標準」のいずれの種類のフレームに属するかの分類である。そして、そのフレームの種別に応じた補正が行われる。例えば、その画像が人物であると判定されたときは、肌色を美しく表現するような補正が行われる。また、その画像が風景であると判定されたときは、空の青を鮮やかに表現するような補正が行われる。つまり、そのフレームがどのような種別のフレームであるかで、行われる補正が異なる。
【００２４】
ゴルフスイングの複数フレームのそれぞれについて補正を行った場合、フレーム中の人物の顔を適切に認識できたか否かで、適用される補正は人物用のものであったり風景用のものとなったりする。そうすると、印刷される複数フレームにおいて、あるフレームにおいては青色が鮮やかになるような補正がされ、あるフレームについては肌色が美しく表現されるように補正がされるので、連続画像であるのに全体として色調が一定しない補正が行われてしまう。
【００２５】
図４は、各フレームについて個別の補正量を適用したときの印刷画像の参考例を示す図である。図には、第１フレームＦＲ１’から第１２フレームＦＲ１２’が印刷された用紙Ｓが示されている。そして、第５フレームＦＲ５’及び第６フレームＦＲ６’と第１０フレームＦＲ１０’〜第１２フレームＦＲ１２’が他のフレームに対して異なった色調となっている。これは、これらのフレームに撮影されている人物の顔が横向きであったため人物とは認識がされず、背景としての補正が適用されたためである。その他のフレームについては、人物用の補正が行われている。このように、連続画像であるのに色調が一定しないような補正はユーザを困惑させ望ましいものとはいえない。
【００２６】
よって、次に説明する動画印刷処理で使用される画像補正では、各フレームについて同一の補正量を適用する。より詳しくいうと、この同一の補正量は、動画ファイルに基づいて求められた補正量である。このように動画ファイルに基づいて求められた一定の補正量を印刷されるフレームに適用することによって、連続画像について一定の色調を有するような補正が行われる。
【００２７】
＜動画印刷処理の詳細について＞
以下、複合機１における動画印刷処理の詳細について説明する。図５は、印刷動作時の各処理を説明するフローチャートである。図６は、補正量算出処理、及び、印刷処理を説明するフローチャートである。図７は、動画ファイルの選択時におけるユーザインタフェースの一例を説明する図である。なお、これらの処理は、コントローラ６０によって行われる。具体的には、メモリ６３に記憶されているコンピュータプログラムに基づいてＣＰＵ６２が行う。従って、コンピュータプログラムは、各処理をＣＰＵ６２に行わせるためのコードを有する。
【００２８】
動画印刷処理において、コントローラ６０は、まず印刷方法決定処理を行う（Ｓ１）。この印刷方法決定処理は、１フレーム印刷と複数フレーム印刷の何れの印刷方法で印刷するかを決定する処理である。この処理において、コントローラ６０は、項目「１フレーム印刷」と項目「複数フレーム印刷」を含むメニュー画像を表示部４２にて表示させ、入力部４３（モード切替ボタン４３６、４方向ボタン４３１、ＯＫボタン４３２等）からの信号を待つ。そして、コントローラ６０は、入力部４３からの信号に基づいてユーザによって指定された印刷方法を認識し、その印刷方法を示す情報をメモリ６３へ記憶する。
【００２９】
次に、コントローラ６０は、動画ファイル選択処理を行う（Ｓ２）。この動画ファイル選択処理は、印刷対象となる動画ファイルをユーザに選択させるための処理である。この処理においてコントローラ６０は、印刷対象となる動画ファイルを認識し、選択を促すためのメニュー画面を表示部４２に表示させる。例えば、図７に示すように、各動画ファイルにおける１番目のフレームをサムネイル表示する。なお、図７では、２つの動画ファイルについて、１番目のフレームが表示された例を示している。その後、コントローラ６０は、入力部４３からの信号を待ち、入力部４３からの信号に基づき、ユーザによって指定された動画ファイルを認識する。そして、認識した動画ファイルのファイル名や所在を示す情報（例えば、ドライブ名やフォルダ名を示すパス情報）をメモリ６３へ記憶させる。
【００３０】
次に、コントローラ６０は、決定された印刷方法の判断を行う（Ｓ３）。この判断は、次に行われる処理を定めるために行われる。すなわち、決定された印刷方法が１フレーム印刷であった場合、コントローラ６０は、次に行う処理をフレーム決定処理（Ｓ４）と定め、ステップＳ４へ移行する。また、決定された印刷方法が複数フレーム印刷であった場合、コントローラ６０は、次に行う処理を開始終了フレーム決定処理（Ｓ７）と定め、ステップＳ７へ移行する。ここでは、まず、決定された印刷方法が複数フレーム印刷である場合について説明する。
【００３１】
図８は、開始終了フレーム決定処理におけるユーザインタフェースの一例を説明するための図である。図９は、開始フレームの決定時におけるユーザインタフェースの一例を説明するための図である。図１０は、終了フレームの決定時におけるユーザインタフェースの一例を説明する図である。この開始終了フレーム決定処理は、印刷対象となる動画ファイルについて、印刷対象となる最初の対象フレーム（以下、開始フレームともいう。）と、最後の対象フレーム（以下、終了フレームともいう。）とを指定する処理である。
【００３２】
まず、コントローラ６０は、選択用画像を表示部４２に表示させる。ここでの選択用画像は、フレーム用の表示領域４２１と、カーソル用の表示領域４２２と、操作内容説明用の表示領域４２３とを有している。フレーム用の表示領域４２１は、任意のフレームについて画像を表示するものである。この複合機１において、フレーム用の表示領域４２１には、まず動画ファイルにおける１番目のフレームが表示される。そして、４方向ボタン４３１における左側部分又は右側部分が操作されると、表示対象となるフレームが変化する。例えば、右側部分が押されると、表示されているフレームよりも後側のフレームが表示され、左側部分が押されると、表示されているフレームよりも前側のフレームが表示される。
【００３３】
カーソル用の表示領域４２２は、左右方向に移動可能なカーソルＣＳを表示する。このカーソルＣＳは、表示されているフレームの動画ファイルにおける経過時間を示す。例えば、図８の例では、動画ファイルにおける先頭フレームが表示されている。このため、カーソルＣＳは、カーソル用の表示領域４２２における左端に表示されている。そして、図９の例では、全体の４割程度の時間が経過した状態のフレームが表示されている。このため、カーソルＣＳも、表示領域における左端から右側へ向けて、表示範囲の４割程度移動している。同様に、図１０の例では、全体の６割程度の時間が経過した状態のフレームが表示されている。このため、カーソルＣＳも、表示領域における左端から右側へ向けて、表示範囲の６割程度移動している。
【００３４】
好みのフレームが表示されている状態でユーザがＯＫボタン４３２を押すと、その時点でのフレームが開始フレームに定められる。また、開始フレームが定められた後に、この開始フレームよりも後側の好みのフレームが表示されている状態でユーザがＯＫボタン４３２を押すと、その時点でのフレームが終了フレームに定められる。例えば、図９に示す状態でユーザがＯＫボタン４３２を押し、その後、図１０に示す状態でユーザがＯＫボタン４３２を押すと、開始フレームとして、ゴルフでアドレスをしている人物のフレームが定められ、終了フレームとして、ショット後の人物のフレームが定められる。つまり、開始フレームは最初の対象フレームであり、終了フレームは最後の対象フレームとなる。
【００３５】
次に、コントローラ６０は、中間フレーム決定処理を行う（Ｓ８）。図１１は、対象フレームを説明するための図である。中間フレームは、開始フレームと終了フレームの間に定められるフレームであって、印刷対象となるフレームである。従って、中間フレームは、中間の対象フレームということもできる。
【００３６】
中間フレーム決定処理において、コントローラ６０は、開始フレームと終了フレームとの間に、互いに前後する対象フレーム同士の時間間隔を揃えて複数の中間フレームを決定する。この複合機１では、複数フレーム印刷が選択された場合に、１２個の対象フレームが１枚の用紙Ｓに印刷される。このため、図１１に符号ＦＲ１で示すフレームが開始フレームとして決定され、符号ＦＲ１２で示すフレームが終了フレームとして決定された場合には、符号ＦＲ２から符号ＦＲ１１で示す各フレームが中間フレームとして決定される。図１１の例において、中間フレームＦＲ２〜ＦＲ１１は、互いに前後する他の対象フレームとの時間間隔が揃うように定められる。この例において各中間フレームＦＲ２〜ＦＲ１１は、他の対象フレームとの間に２つのフレームを挟んでいる。言い換えれば、各対象フレームＦＲ１〜ＦＲ１２は、２つのフレーム毎に定められている。なお、間に挟むフレームの数に関し、図示の都合で２つとしたが、実際の数はこの数に限られない。すなわち、間に挟むフレームの数は、開始フレームから終了フレームまでの時間間隔、対象フレームの数、撮影時におけるフレームレート等の要因によって定められる。
【００３７】
中間フレームが決定されたならば、補正量算出処理が行われる（Ｓ９）。補正量算出処理において、コントローラ６０は、まず、サンプルフレームの取得を行う（Ｓ１１）。サンプルフレームは、対象フレームに適用される補正量を求めるためのものである。第１実施形態において、サンプルフレームは、選択された動画ファイルの開始フレームから終了フレームまでの間に存在するフレームのうちの１枚の中央のフレームである。尚、ここでは、１枚のサンプルフレームから補正量を求めることとしているが、複数のサンプルフレームを抽出して補正量を求めることとしてもよい。
【００３８】
次に、コントローラ６０は、サンプリング処理を行う（Ｓ１２）。このサンプリング処理は、各サンプルフレームについて、輝度や色合い等に関する情報を取得する処理である。この処理において、コントローラ６０は、輝度値、Ｒ（レッド）画素の数や座標、Ｇ（グリーン）画素の数や座標、Ｂ（ブルー）画素の数や座標、及び、エッジの量等の情報を取得する。そして、取得した情報を統計値情報としてメモリ６３に記憶する。
【００３９】
統計値情報を記憶させると、コントローラ６０は、シーン判定処理を行う（Ｓ１３）。シーン判定処理は、各サンプルフレームのシーンを判定する処理である。シーンの種類には「人物」、「風景」、「標準」の３つが用意されている。そして、コントローラ６０は、各サンプルフレームが「人物」、「風景」、「標準」のどの種別に分類されるかを判定する。このとき、コントローラ６０は、メモリ６３に記憶された統計値情報を読み出し、その対象フレームが「人物」に分類できるか否かを判定する。この判定は、顔の部分があるか否かによって行われる。
【００４０】
この判定について概略を説明すると次の通りである。まず、コントローラ６０は、そのサンプルフレームについて肌色の部分があるか否かについて判定する。肌色の部分があった場合、コントローラ６０は、その肌色の部分の中に両目及び口に対応する部分があるかを判定する。そして、両目及び口に対応する部分があった場合、肌色と認識できる部分を顔と認識する。さらに、顔の部分における面積がサンプルフレームにおける面積の０．５％以上あれば、そのサンプルフレームの種類を「人物」と判定する。
【００４１】
「人物」とは判定されなかった場合、コントローラ６０は、そのサンプルフレームが「風景」に分類できるかを判定する。この判定は、例えば、ヒストグラムを用いて行われる。このとき、コントローラ６０は、輝度値、Ｒ画素数、Ｇ画素数、Ｂ画素数、エッジの量等の各項目について度数を求め、ヒストグラムを得る。そして、得られたヒストグラムの形状からサンプルフレームの種類を判定する。例えば、風景に多く出現する、緑、青、赤、の比率が高ければ、風景を示すヒストグラムとのマッチングが高くなる。よって、このときコントローラ６０は、そのサンプルフレームを「風景」と判定する。
【００４２】
さらに、コントローラ６０は、「人物」「風景」のいずれにも判定されなかったサンプルフレームを「標準」と判定する。そして、この判定結果を、各サンプルフレームの番号に関連づけてシーン情報としてメモリ６３に記憶する。
【００４３】
次に、コントローラ６０は、補正量算出処理（Ｓ１４）を行う。複合機１で用いられる補正項目としては、例えば、「明るさ」、「コントラスト」、「彩度」、「カラーバランス」、「シャープネス」がある。尚、補正項目は一例であり、他の項目も定められている。ここで、対象フレームが「人物」と判定された場合には、そのサンプルフレームにおける人の顔の部分が、肌色の標準色となるように補正量が算出される。サンプルフレームが「風景」と判定された場合、その代表フレームにおける緑色の部分、青色の部分、及び、赤色の部分について、彩度を上げるように補正量が算出される。サンプルフレームが「標準」と判定された場合、その対象フレームが多少明るくなり、かつ、各色の彩度が多少高くなるように補正量が算出される。そして、コントローラ６０は、算出した補正量を各サンプルフレームの番号に関連づけてメモリ６３に記憶する。
【００４４】
次に、コントローラ６０は、すべてのサンプルフレームについて、上述の一連の処理（Ｓ１２〜Ｓ１４）を行ったか否かについて判定する（Ｓ１５）。そして、Ｓ１２〜Ｓ１４の処理を行っていないサンプルフレームが残っている場合には、Ｓ１２に戻り、未処理のサンプルフレームについて上述の一連の処理（Ｓ１２〜Ｓ１４）を行う。尚、第１実施形態では、１枚のサンプルフレームに基づいて補正量が求められることから、Ｓ１２〜Ｓ１４の処理は一度の処理で完了する。
【００４５】
全てのサンプルフレームについて、Ｓ１２〜Ｓ１４の処理を行った場合には、共通補正量算出処理（Ｓ１６）を行う。共通補正量算出処理（Ｓ１６）において、コントローラ６０は、メモリ６３に記憶された全てのサンプルフレームの平均値を求める。そして、これを共通補正量としてメモリ６３に記憶する。但し、第１実施形態では一枚のサンプルフレームに基づいて補正量を求めている。よって、共通補正量はＳ１４で求めた一枚のサンプルフレームの補正量と同じである。
【００４６】
このようにして、補正量算出処理が完了すると、コントローラ６０は、次に印刷処理（Ｓ１０）を行う。印刷処理において、コントローラ６０は、最初に補正処理（Ｓ２１）を行う。補正処理では、動画ファイルに基づく補正量算出処理（Ｓ９）において求められた共通補正量が各対象フレームに適用され画像補正が行われる。そして、画像補正が行われると、画像補正された対象フレームが順番に表示部４２に並べて表示される（Ｓ２２）。
【００４７】
次に、コントローラ６０は、全ての対象フレームについて、上述の補正処理（Ｓ２１）と表示（Ｓ２２）を行ったか否かについて判定する（Ｓ２３）。そして、Ｓ２１〜Ｓ２２の処理を行っていない対象フレームが残っている場合には、Ｓ２１に戻り、未処理の対象フレームについてＳ２１〜Ｓ２２の処理を行う。一方、全ての対象フレームについて、Ｓ２１〜Ｓ２２の処理を行った場合には、これらの補正後の対象フレームについて印刷を行う（Ｓ２４）。
【００４８】
図１２は、画像補正処理がされたフレームを表示したときの表示部４２の一例である。全ての対象フレームについてＳ２１〜Ｓ２２の処理を行うと、表示部４２に全ての対象フレームについて補正後のフレームが表示されることとなる。なお、図１２における上段左端に表示されている対象フレームが開始フレーム（１番目の対象フレームＦＲ１）であり、下段右端に表示されている対象フレームが終了フレーム（１２番目の対象フレームＦＲ１２）である。また、他の対象フレームＦＲ２〜ＦＲ１１は中間フレームである。そして、各対象フレームＦＲ１〜ＦＲ１２は、上段左端から下段右端に向かって時系列で表示されている。すなわち、表示されている１２個の対象フレームのうち、上段に配置されている４つの対象フレームは、１番目の対象フレームＦＲ１から４番目の対象フレームＦＲ４である。そして、撮影された時刻が早い程、左側に表示されている。同様に、中段に配置されている４つの対象フレームは５番目の対象フレームＦＲ５から８番目の対象フレームＦＲ８であり、下段に配置されている４つの対象フレームは９番目の対象フレームＦＲ９から１２番目の対象フレームＦＲ１２である。
【００４９】
印刷処理（Ｓ２４）において、コントローラ６０は、画像補正が行われた複数の対象フレームＦＲ１〜ＦＲ１２を一枚の用紙Ｓに印刷させる（Ｓ２４）。ここで、図１３は、印刷画像の一例を示す図である。図１３に示すように、用紙Ｓの幅方向（キャリッジ移動方向に３つ、用紙Ｓの長さ方向に４つのフレームが配置され、合計で１２個のフレームが１枚の用紙Ｓに印刷される。
【００５０】
このようにして、全ての対象フレーム（ＦＲ１〜ＦＲ１２）について動画ファイルに基づいて求められた共通の補正量を適用して対象フレームの補正が行われる。よって、図１３のように、各対象フレームをマトリックス上に配置した場合に、各対象フレームの色調が揃い、印刷の品質を高めることができる。
【００５１】
尚、第１実施形態において、画像補正される対象フレームを決定する処理（Ｓ７，Ｓ８）を行ってから動画ファイルに基づく補正量算出処理（Ｓ９）を行うこととしたが、先に補正量算出処理（Ｓ９）を行ってから画像補正される対象フレームを決定する処理（Ｓ７，Ｓ８）を行うこととすることもできる。
【００５２】
また、サンプルフレームは１枚に限られず、前述のように中央の複数のサンプルフレームに基づいて共通補正量が求められることとしてもよい。また、複数のサンプルフレームの数を対象フレームの数よりも多くして、より平均的な補正量を求めることとしてもよい。
【００５３】
次に、Ｓ１の印刷方法決定処理において１フレーム印刷が選択されたときの処理について説明する。１フレーム印刷が選択されると、コントローラ６０は、フレーム決定処理（Ｓ４）を行う。フレーム決定処理（Ｓ４）は、１フレーム印刷において印刷対象となるフレームを決定する処理である。この処理において、コントローラ６０は、動画ファイルを構成する複数のフレームの中から、印刷対象となる１つのフレームを決定する。このため、コントローラ６０は、撮影開始からの経過時間、及び、この経過時間に対応するフレームを表示部４２に表示させ、入力部４３からの入力を待つ。ユーザは、入力部４３（例えば４方向ボタン４３１）を操作して経過時間を変化させる。そして、所望のフレームが表示されたならば、ユーザは、ＯＫボタン４３２を操作する等によって印刷するフレームを決定する。この操作に伴い、コントローラ６０は、対応するフレームを対象フレームに決定し、この対象フレームを示す情報をメモリ６３に記憶する。
【００５４】
次にコントローラ６０は、補正量算出処理（Ｓ５）を行う。この補正量算出処理（Ｓ５）は、複数フレームにおける補正量算出処理（Ｓ９）と同様の処理であるので説明を省略するが、これによって、対象フレームに適用される補正量が求められることとなる。
【００５５】
次に、コントローラ６０は、印刷処理（Ｓ６）を行う。この印刷処理についても、複数フレームにおける印刷処理（Ｓ１０）と同様の処理であるので説明を省略するが、これによって、１枚の対象フレームに補正量が適用され、補正後の対象フレームについて印刷が行われることとなる。
【００５６】
＝＝＝第２実施形態＝＝＝
図１４は、第２実施形態における印刷動作時の各処理を説明するフローチャートである。第１実施形態の各処理と同様の処理については同様の符号を付してある。また、Ｓ６’〜Ｓ９’の処理についても第１実施形態で対応する各処理と同様の処理ではあるが、処理の行われる順番が異なっているため第１実施形態のものとは符号を変えてある。これら各処理については、第１実施形態において説明したものと同様であるので説明を省略する。
【００５７】
図１４のフローチャートを参照するとわかるとおり、第２実施形態における複数フレーム印刷では、開始終了フレーム決定処理（Ｓ７’）〜中間フレーム決定処理（Ｓ８’）の処理と補正量算出処理（Ｓ９’）とが並列処理される。
【００５８】
開始終了フレーム決定処理（Ｓ７’）は、印刷させる最初の対象フレームと最後の対象フレームをユーザに決定させる処理である。この最初の対象フレームと最後の対象フレームを選択させる処理に占める時間の多くは、ユーザが表示部４２を見ながらどのフレームを印刷させようか考えている時間である。つまり、その間、コントローラ６０は、フレームが選択されるのを待っている状態となり、処理負荷の少ない無駄な時間となっている。そこで、コントローラ６０は、この時間を利用して、動画ファイルに基づいてフレームに適用する補正量の算出（Ｓ９’）を行うのである。
【００５９】
第１実施形態では、開始終了フレーム決定処理（Ｓ７）と補正量算出処理（Ｓ９）が同時に実行されなかった。つまり、一方の処理が完了するまで他方の処理を開始できなかった。しかしながら、第２実施形態では、一方の処理を待たずして他方の処理を行うこととしている。そうすると、フレームが決定されている間に補正量算出処理の大部分が完了することとなる。このようにして、第２実施形態では、第１実施形態の補正時間に比して、補正量の算出にかかっていた分の時間を短縮することができる。
【００６０】
尚、第１実施形態のときと同様に、共通の補正量を適用して対象フレームの補正を行っているため、各対象フレームの色調が揃い、印刷の品質を高めることができることはいうまでもない。
【００６１】
＝＝＝第３実施形態＝＝＝
第３実施形態は、第１実施形態及び第２実施形態を変形した実施形態である。第３実施形態では、図６又は図１４におけるサンプルフレーム取得処理（Ｓ１１）において、コントローラ６０が、選択された動画ファイルから複数のサンプルフレームをランダムに選択する。この選択されるフレーム数は、任意の数ではあるが、対象フレームの数よりも多くして、より平均的な補正量を求めるようにすることもできる。
【００６２】
このようにすることで、動画ファイルからランダムに選択された複数のフレームに基づいて求められた共通の補正量を適用して対象フレームの補正が行われる。よって、補正後の各対象フレームの色調が揃い、印刷の品質を高めることができる。
【００６３】
＝＝＝第４実施形態＝＝＝
第４実施形態も第１実施形態及び第２実施形態を変形した実施形態である。第４実施形態では、図６又は図１４におけるサンプルフレーム取得処理（Ｓ１１）において、コントローラ６０は、動画ファイルから音声を抽出し、人の声が最も含まれている処理時間幅の時間領域を特定する。そして、この時間領域内の複数のフレームが選択され、これがサンプルフレームとされる。
【００６４】
このように、人の声が最も多く含まれている時間領域のフレームには人物が写っていることが多い。画像補正のうち、人物の肌に対する補正は重要視されるもとであると考えられる。よって、このように人物が撮影されている可能性の高いフレームを自動選択して補正量を求めることで、対象フレームに対して人物に適した補正を行うことができるようになる。また、共通の補正量を適用して対象フレームの補正が行われるので、各対象フレームの色調が揃い、印刷の品質を高めることができる。
【００６５】
＝＝＝第５実施形態＝＝＝
第５実施形態では、動画ファイルのヘッダに含まれる情報に基づいて、補正量が求められる。以下、第５実施形態における印刷動作時の各処理について説明する。
【００６６】
図１５は、第５実施形態における補正量算出処理、及び、印刷処理を説明するフローチャートである。尚、上述の実施形態と同様の処理については、同じ符号を付して説明を省略するものとする。また、第５実施形態の説明では図５も参照する。
【００６７】
例えば、第５実施形態において、使用される動画ファイルのヘッダには撮影されている映像の種別（例えば、「人物」や「風景」など）の情報が含まれているとする。このとき、Ｓ２（図５）において動画ファイルが選択されると、コントローラ６０は、選択された動画のヘッダ情報を参照し、このヘッダ情報に基づいて共通補正量を求める（Ｓ３１，Ｓ３２）。具体的には、まず、コントローラ６０がメモリ６３の共通補正量データベース（図１５）にアクセスする。共通補正量データベースには、あらかじめ動画ファイルの種別ごとに用意された共通補正量が格納されている。つまり、動画ファイルの種別ごとに、対象ファイルに適用される適切な共通補正量があらかじめ決められているのである。コントローラ６０は、この共通補正量データベースにアクセスし、ヘッダ情報に含まれる動画ファイルの種別をキーとして、対応する共通補正量を検索して取得する。そして、取得した共通補正量を対象フレームに適用することとする。このようにして第５実施形態では、動画ファイルが有するヘッダ情報に基づいて共通補正量を求めることとしている。
【００６８】
尚、ヘッダに含まれる情報としては、このほかにも撮影されている対象物の名称等を含ませることとしてもよい。この場合、対象物の名称に関連づけられて共通補正量が共通補正量データベースに格納されている。そして、この対象物の名称をキーとして、あらかじめ用意されたいくつかの共通補正量の中から適した共通補正量が取得され、補正に使用される。
【００６９】
また、ここでは、動画ファイルに含まれるヘッダの情報に基づいて補正量を求めることとしたが、ＭＰＥＧ−７のような動画ファイルの特徴を表すデータに基づいて共通補正量を求めることとしてもよい。ＭＰＥＧ−７のデータには、コンテンツを管理するための情報（メタデータ）が含まれ、複合機１の外部の記憶装置に記憶されている。ここでは、コンテンツを管理するための情報として、例えば、動画の種別（例えば「人物」又は「風景」など）の情報が含まれているとする。この場合、まず、コントローラ６０は、インタフェース６１を介して外部の記憶装置内のＭＰＥＧ−７のデータにアクセスして、これから印刷しようとする動画ファイルの種別を取得する。動画ファイルの種別を取得すると、コントローラ６０は、この種別に対応する共通補正量をメモリ６３内の共通補正量データベースから読み出し、これを共通補正量とする。このようにして、動画ファイルの特徴を表すデータに基づいて補正量を求めることとすることもできる。
【００７０】
ここでは、図５を用いて、印刷動作時の各処理について説明したが、第２実施形態において説明された図１４に示す印刷動作時の各処理を第５実施形態において用いることとしてもよい。
【００７１】
また、共通補正量が動画ファイルのヘッダに含まれるという形式を採用することとしてもよい。この場合、図１５のＳ３１においてヘッダ情報が取得されると同時に共通補正量が取得される（ステップＳ３２は使用されない）。そして、取得された共通補正量がメモリ６３に記憶される。このようにして、動画ファイルの特徴を表すデータとしてのヘッダ情報に基づいて共通補正量を求めるとすることもできる。
【００７２】
＝＝＝その他の実施の形態＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００７３】
＜画像補正装置について＞
前述した各実施形態では、複合機１を画像補正装置として用いた構成が記載されている。しかし、画像補正装置は、複合機１に限定されるものではない。例えば、専ら印刷を行うプリンタを画像補正装置として用いてもよい。この場合、プリンタに、画像補正用のプログラムを実行させることで、画像補正装置として用いる。また、画像補正用のプログラムを実行するコンピュータによって画像補正装置を構成してもよい。さらに、デジタルカメラやデジタルビデオを画像補正装置として用いてもよい。  
また前述した画像補正装置は、コンピュータ上での画像補正においても使用できることはいうまでもない。
【００７４】
＜印刷の態様について＞
前述した各実施形態では、複数の対象フレームを同じ用紙Ｓに印刷する態様について説明したが、印刷の態様はこれに限定されない。例えば、複数の対象フレームを別の用紙Ｓに印刷する態様であってもよい。
【００７５】
＜対象フレームの種類について＞
前述した各実施形態では、対象フレームの種類として「人物」，「風景」，「標準」の３つを例に挙げて説明した。対象フレームの種類はこれらに限定されるものではなく、他の種類であってもよい。
【００７６】
＜メモリカードＭＣについて＞
前述した各実施形態では、カードスロット５０にメモリカードＭＣを装着する構成であったが、この構成に限定されない。例えば、デジタルカメラと複合機１とをケーブルを介して接続し、デジタルカメラに装着されたメモリカードＭＣへ、ケーブルを通じてアクセスするようにしてもよい。
【００７７】
＝＝＝まとめ＝＝＝
（１）前述の実施形態における画像補正方法では、動画ファイルから補正対象となる複数の対象フレームを決定するステップ（Ｓ７〜Ｓ８）と、この動画ファイルに基づいて複数の対象フレームＦＲ１〜ＦＲ１２の補正に共通に使用される共通補正量を求めるステップ（Ｓ９）と、この共通補正量に基づいて、複数の対象フレームＦＲ１〜ＦＲ１２のそれぞれについて画像補正（Ｓ１０）を行うステップと、を含む。  
このようにすることで、共通の補正量を全ての対象フレームに対して適用するので、各対象フレームについて色調が一定になるような画像補正が行われ、画像補正の適正化を図ることができる。
【００７８】
（２）また、前述の対象フレームを決定するステップ（Ｓ７’〜Ｓ８’）と、共通補正量を求めるステップ（Ｓ９’）とが並行して行われることとしてもよい。  
このようにすることで、一方の処理の完了を待たずして他方の処理を開始することができる。よって、対象フレームが決定されている間に補正量の算出を開始することができ、補正量の算出にかかっていた分の時間を短縮することができる。
【００７９】
（３）また、動画ファイルが複数の動画ファイルから選択されるステップ（Ｓ２）をさらに含み、この動画ファイルが選択されてから、対象フレームを決定するステップ（Ｓ７’〜Ｓ８’）と、共通補正量を求めるステップ（Ｓ９’）とが並行して行われることとしてもよい。  
このようにすることで、複数の動画ファイルのなかから１つの動画ファイルを決定した後に、対象フレームを決定する処理と、共通補正量を求める処理とを並列処理させることができる。
【００８０】
（４）また、上述の共通補正量を求めるステップ（Ｓ９）は、動画ファイルから共通補正量を求めるためのフレームを選択するステップ（Ｓ２）を含む。  
このようにすることで、動画ファイルに基づいて共通補正量を求めることができるようになる。
【００８１】
（５）また、共通補正量を求めるステップ（Ｓ９）は、動画ファイルの中央のフレームに基づいて共通補正量を求めるステップ（Ｓ１１）を含む。  
このようにすることで、動画ファイルに基づいて共通補正量を求めることができるようになる。
【００８２】
（６）また、共通補正量を求めるステップ（Ｓ９）は、動画ファイルからランダムに選択されたフレームに基づいて共通補正量を求めるステップ（Ｓ１１）を含むこととしてもよい。  
このようにすることで、動画ファイルに基づいて共通補正量を求めることができるようになる。
【００８３】
（７）また、共通補正量を求めるステップ（Ｓ９）は、動画ファイルに含まれる音声データに基づいて共通補正量を求めるステップ（Ｓ１１）を含む。  
このようにすることで、対象フレームに対してある種類の音に関連性の高いフレームの補正量に基づいて共通補正量を求めることができる。
【００８４】
（８）また、上述の共通補正量を求めるステップ（Ｓ９）は、共通補正量として、動画ファイルから選択されたフレームの補正量を求め、この補正量の平均を求めるステップ（Ｓ１６）を含む。  
このようにすることで、複数のサンプルフレームの補正量の平均をもって共通補正量とすることができる。
【００８５】
（９）また、共通補正量を求めるために動画ファイルから選択されるフレームの数は、複数の対象フレームの数よりも多くすることもできる。  
このようにすることで、動画ファイルに含まれるフレームのより平均的な補正量を求めることができる。
【００８６】
（１０）また、共通補正量を求めるステップは、動画ファイルに含まれるこの動画ファイルの映像の特徴を示す情報（例えば動画ファイルのヘッダに含まれる情報）に基づいて共通補正量を求めるステップを含む。  
このようにすることで、動画ファイルに含まれる記述情報等に基づいて、共通補正量を求めることができる。
【００８７】
（１１）また、複数の対象フレームを決定するステップは、動画ファイルから最初の対象フレームＦＲ１と最後の対象フレームＦＲ１２とを決定し、最初の対象フレームと最後の対象フレームとの間に、互いに前後する対象フレーム同士の時間間隔を揃えて中間の対象フレームＦＲ２〜ＦＲ１１を決定するステップを含む。  
このようにすることで、最初の対象フレームと最後の対象フレームを決定することで容易に中間の対象フレームを決定することができる。
【００８８】
（１２）また、前述の構成要素のほぼ全てを含む画像補正方法によれば、記述のほぼ全ての効果を奏するため、本発明の目的が最も有効に達成される。
【００８９】
（１３）また、上述の画像補正装置は、動画ファイルから補正対象となる複数の対象フレームを決定する決定部（入力部４３とコントローラ６０）と、この動画ファイルに基づいて複数の対象フレームの補正に共通に使用される共通補正量を求める補正量算出部（コントローラ６０）と、この共通補正量に基づいて、複数の対象フレームＦＲ１〜ＦＲ１２のそれぞれについて画像補正を行う画像補正部（コントローラ６０）と、を備える。
【００９０】
（１４）また、前述の画像補正装置に、画像補正された対象フレームを印刷する印刷部を備えた印刷装置を提供することもできる。
【００９１】
（１５）また、上述の画像補正方法をコンピュータに実行させるためのプログラムがあることもいうまでもない。
【図面の簡単な説明】
【００９２】
【図１】図１Ａは、複合機１の外観を説明するための斜視図であり、図１Ｂは、操作パネル４０を説明するための図である。
【図２】複合機１の構成を説明するブロック図である。
【図３】印刷機構２０を説明するための図である。
【図４】各フレームについて個別の補正量を適用したときの印刷画像の参考例を示す図である。
【図５】印刷動作時の各処理を説明するフローチャートである。
【図６】補正量算出処理、及び、印刷処理を説明するフローチャートである。
【図７】動画ファイルの選択時におけるユーザインタフェースの一例を説明する図である。
【図８】開始終了フレーム決定処理におけるユーザインタフェースの一例を説明するための図である。
【図９】開始フレームの決定時におけるユーザインタフェースの一例を説明するための図である。
【図１０】終了フレームの決定時におけるユーザインタフェースの一例を説明する図である。
【図１１】対象フレームを説明するための図である。
【図１２】画像補正処理がされたフレームを表示したときの表示部４２の一例である。
【図１３】印刷画像の一例を示す図である。
【図１４】第２実施形態における印刷動作時の各処理を説明するフローチャートである。
【図１５】第５実施形態における補正量算出処理、及び、印刷処理を説明するフローチャートである。
【符号の説明】
【００９３】
１  複合機，
１１  原稿台，２０  印刷機構，２２  キャリッジ移動機構，２２３  ガイド軸，
３０  駆動信号生成部，４０  操作パネル，４１  電源ボタン，
４２  表示部，４２１  フレーム用の表示領域，
４２２  カーソル用の表示領域，４２３  操作内容説明用の表示領域，
４３  入力部，４３１  ４方向ボタン，４３２  ＯＫボタン，
４３３  印刷設定ボタン，４３４  戻るボタン，４３５  表示切替ボタン，
４３６  モード切替ボタン，４３７  印刷枚数増減ボタン，
４３８  スタートボタン，４３９  ストップボタン，
５０  カードスロット，
６０  コントローラ，６１  インタフェース部，６２  ＣＰＵ，
６３  メモリ，６４  制御ユニット，
Ｓ  用紙，ＣＲ  キャリッジ，ＩＣ  インクカートリッジ，
ＨＵ  ヘッドユニット，ＭＣ  メモリカード，ＣＳ  カーソル，
ＦＲ１〜ＦＲ１２  対象フレーム
【図１】
2008022482.tif 000003
【図２】
2008022482.tif 000004
【図３】
2008022482.tif 000005
【図４】
2008022482.tif 000006
【図５】
2008022482.tif 000007
【図６】
2008022482.tif 000008
【図７】
2008022482.tif 000009
【図８】
2008022482.tif 000010
【図９】
2008022482.tif 000011
【図１０】
2008022482.tif 000012
【図１１】
2008022482.tif 000013
【図１２】
2008022482.tif 000014
【図１３】
2008022482.tif 000015
【図１４】
2008022482.tif 000016
【図１５】
2008022482.tif 000017